(57)【特許請求の範囲】
【請求項１】
植毛台のヒールに把持部を備え且つ該植毛台に複数のブラシ体が植毛されてブラシ部を構成して成る歯ブラシであって、
前記ブラシ部のトゥ部先端に、少なくとも一以上の山形状の突片（トゥ突片）が成形されて成り、
前記突片（トゥ突片）は、短辺方向から見て頂点角が鋭角を為し且つ両側端方向へ夫々直線的若しくは曲線的な下り傾斜の稜線を為して形成されると共に、長辺方向から見て頂点角が鋭角を為し且つトゥ側辺が略鉛直状の稜線を為しヒール側辺がヒール方向へ直線的若しくは曲線的な下り傾斜の稜線を為して形成され、
前記植毛台の所定中間位置よりトゥ側を下方へ屈曲させることで、前記突片（トゥ突片）の最上端箇所とヒール部との高さ位置に差がなく形成されて成ることを特徴とする歯ブラシ。
【請求項２】
前記ブラシ部のヒール部に、複数の山形状の突片（ヒール突片）が長辺方向に一列に連続して成形されて成り、
前記突片（ヒール突片）は、短辺方向から見て頂点角が鋭角を為し且つ両側端方向へ夫々直線的若しくは曲線的な下り傾斜の稜線を為して形成されると共に、長辺方向から見て頂点角が鋭角を為し且つトゥ側辺が略鉛直状の稜線を為しヒール側辺がヒール方向へ直線的若しくは曲線的な下り傾斜の稜線を為して形成され、
前記ブラシ部のトゥ部に成形された突片（トゥ突片）の最上端位置が、ブラシ部のヒール部に成形された突片（ヒール突片）より高く成形され、
前記植毛台の所定中間位置よりトゥ側を下方へ屈曲させることで、前記突片（トゥ突片）の最上端箇所と前記突片（ヒール突片）の最上端箇所との高さ位置に差がなく形成されて成ることを特徴とする請求項1に記載の歯ブラシ。
【発明の詳細な説明】
【技術分野】
【０００１】
歯間や歯周ポケットに付着した歯垢を毛丈の長さが異なるブラシ体で確実且つ効率良く除去することができる歯ブラシに関するものである。
【背景技術】
【０００２】
従来の歯ブラシは、ブラシ部の先端面が平坦状となっているのが一般的であり、歯の表面や奥歯の噛み合わせ面を磨くためには有効であるが、歯間や歯周ポケットを磨くには不向きである。かかる平坦状のブラシ部を有する歯ブラシで歯間や歯周ポケットを無理に磨いてしまうと、毛先が歯茎に必要以上に当接して歯茎を傷めてしまい、かえって炎症を起こしたり、また、歯のエナメル質が削れてしまって知覚過敏を引き起こしたり、さらには、磨けたつもりでも歯垢が残存していて歯周病の原因となりかねない。
【０００３】
そこで従来より、歯間や歯周ポケットに付着した歯垢を効果的・効率良く除去することができる歯ブラシの提案が数多くなされており、それらの多くは、ブリッスルや毛先ならびに柄の形状に種々の工夫が施された提供となっている。
【０００４】
その実例としては、例えば、歯ブラシの長手方向に沿って配置される中央列の毛丈を中央列の両側列に配置される外側列毛丈よりも高く形成すると共に中央列の先端部分と後端部分も毛丈を中央列の他の部分の毛丈よりも高く形成した「歯ブラシ」（特許文献１）や、ブリッスルの先端（毛先）を連ねたブラシ面が植毛台の短手方向と対向する側面から見た際に下に凸の弧状に湾曲するＵ字形状となっており、植毛台の長手方向と対向する先端側から見た際に中央列部分を頂部とする山状又は上に凸の弧状の形状になっており、かつブリッスルはテーパ形状になっており、植毛台の植毛領域として該植毛領域の面積に対する植毛孔の面積の総和の割合が３５％以上になっている「歯ブラシ」（特許文献２）や、ヘッドの一方の側から近接した間隔を置いて延び出している１組の剛毛を支持しており、それによりそれらの剛毛の各外方端が一緒になって或るブラッシング面を提供し、その際にこのブラッシング面はこのブラッシング面の両端の間でこのブラッシング面の長手方向軸とこのブラッシング面の横断方向軸との両方に沿ってそのプロフィルにおいて凹面状であって或る陥凹面を提供し、その際そのブラッシング面の外側周縁の領域に位置する外側の組の剛毛の自由端はそのブラッシング面について半径方向内向きに指向されている「歯ブラシ」（特許文献３）が提案されている。
【０００５】
しかしながら、上記における各種「歯ブラシ」の提案は、中央列のブリッスルの毛丈と両側列のブリッスルの毛丈の差が限定されていないことから、短手方向（トゥ側）から見たブリッスルの形状が山伏状の鈍角に形成されることによって、歯間や歯周ポケットに付着した歯垢をブリッスルの先端部で確実且つ効率良く除去することができない、といった問題があった。
【０００６】
本出願人は、以上のような従来から使用されている歯ブラシにおける歯間や歯周ポケットに付着した歯垢を確実且つ効率良く除去することができないといった問題に着目し、その問題点を簡便且つ容易な方法で解決することができないものかという着想の下、歯間や歯周ポケットに付着した歯垢を毛丈の長さが異なるブラシ体で確実且つ効率良く除去することができる歯ブラシを開発し、本発明にかかる「歯ブラシ」の提案に至るものである。
【先行技術文献】
【特許文献】
【０００７】
【特許文献１】特開平１１-１２７９５７号公報
【特許文献２】特開２００７-１５１７９５号公報
【特許文献３】特表２０００-５０３２１９号公報
【発明の概要】
【発明が解決しようとする課題】
【０００８】
上記問題点に鑑み、本発明は、歯間や歯周ポケット、奥歯に付着した歯垢を確実且つ効率良く除去することができる歯ブラシを提供することを課題とするものである。
【課題を解決するための手段】
【０００９】
上記課題を解決するため、本発明にかかる歯ブラシの第一の構成は、植毛台のヒールに把持部を備え且つ該植毛台に複数のブラシ体が植毛されてブラシ部を構成して成る歯ブラシであって、ブラシ部のトゥ部先端に、少なくとも一以上の山形状の突片（トゥ突片）が成形されて成り、突片（トゥ突片）は、短辺方向から見て頂点角が鋭角を為し且つ両側端方向へ夫々直線的若しくは曲線的な下り傾斜の稜線を為して形成されると共に、長辺方向から見て頂点角が鋭角を為し且つトゥ側辺が略鉛直状の稜線を為しヒール側辺がヒール方向へ直線的若しくは曲線的な下り傾斜の稜線を為して形成された構成となっている。
【００１０】
また、本発明にかかる歯ブラシの第二の構成は、前記ブラシ部のヒール部に、複数の山形状の突片（ヒール突片）が長辺方向に一列に連続して成形されて成り、突片（ヒール突片）は、短辺方向から見て頂点角が鋭角を為し且つ両側端方向へ夫々直線的若しくは曲線的な下り傾斜の稜線を為して形成されると共に、長辺方向から見て頂点角が鋭角を為し且つトゥ側辺が略鉛直状の稜線を為しヒール側辺がヒール方向へ直線的若しくは曲線的な下り傾斜の稜線を為して形成された構成となっている。
【００１１】
上記第二の構成において、本発明の歯ブラシは、前記ブラシ部のトゥ部に成形された突片（トゥ突片）の最上端位置が、ブラシ部のヒール部に成形された突片（ヒール突片）より高く成形された構成を採用する。
【００１２】
また上記第一及び第二の構成において、本発明の歯ブラシは、前記植毛台の所定中間位置よりトゥ側が、下方へ屈曲された構成を採用し得る。
【発明の効果】
【００１３】
本発明にかかる歯ブラシによれば、ブラシ部が、短辺方向から見て頂点角が鋭角を為し且つ両側端方向へ夫々直線的若しくは曲線的な下り傾斜の稜線を為して傾斜した山形状の突片が成形されることによって、ブラシ体の先端が必要以上に歯茎に当接することなく歯周ポケットに効果的に入り込み、当該歯周ポケットに付着した歯垢を確実且つ効率良く除去することができるため、歯茎を傷めることなく歯を磨くことができる、といった優れた効果を奏する。
【００１４】
また、本発明にかかる歯ブラシによれば、ブラシ部が、長辺方向から見て頂点角が鋭角を為し且つトゥ側辺が略鉛直状の稜線を為すと共にヒール側辺がヒール方向へ直線的若しくは曲線的な下り傾斜の稜線を為して傾斜した山形状の突片が成形されることによって、長手方向へ往復スライドするように歯の表面を磨く際に、ブラシ部のトゥ側辺とヒール側辺との異なる傾斜角によって夫々最適な抵抗力による歯垢除去が可能になると共に、山形状の突片が並列する歯の歯間や歯周ポケットに効果的に入り込み、当該歯間や歯周ポケットに付着した歯垢を確実且つ効率良く除去することができ、さらには、該突片（トゥ突片）が奥歯の最奥にまで届いて磨き残し無く歯磨きすることが可能になる、いった優れた効果を奏する。
【図面の簡単な説明】
【００１５】
【図１】本発明にかかる歯ブラシの第一の実施形態を示す説明図である。（実施例１）
【図２】本発明にかかる歯ブラシの第一の実施形態を示す説明図である。（実施例１）
【図３】本発明にかかる歯ブラシの第一の実施形態を示す説明図である。（実施例１）
【図４】本発明にかかる歯ブラシの第一の実施形態を示す説明図である。（実施例１）
【図５】本発明にかかる歯ブラシの第一の実施形態を示す説明図である。（実施例１）
【図６】本発明にかかる歯ブラシの第二の実施形態を示す説明図である。（実施例２）
【図７】本発明にかかる歯ブラシの第二の実施形態を示す説明図である。（実施例２）
【図８】本発明にかかる歯ブラシの第二の実施形態を示す説明図である。（実施例２）
【発明を実施するための形態】
【００１６】
本発明は、植毛台１１のヒールに把持部１２を備え且つ該植毛台１１に複数のブラシ体が植毛されてブラシ部２０を構成して成る歯ブラシ１０であって、ブラシ部２０のトゥ部ｔ先端に、少なくとも一以上の山形状の突片（トゥ突片）２２が成形されて成り、該突片（トゥ突片）２２は、短辺方向Ｍから見て頂点角θ１が鋭角を為し且つ両側端方向へ夫々直線的若しくは曲線的な下り傾斜の稜線２１を為して形成されると共に、長辺方向Ｌから見て頂点角θ２が鋭角を為し且つトゥ側辺が略鉛直状の稜線２３を為しヒール側辺がヒール方向へ直線的若しくは曲線的な下り傾斜の稜線２３を為して形成され、植毛台１１の所定中間位置よりトゥ側（トゥ部ｔ）を下方へ屈曲させることで、該突片（トゥ突片）２２の最上端箇所２６とヒール部ｈとの高さ位置に差がなく形成されて成ることを最大の特徴とする。
以下、本発明にかかる歯ブラシ１０の実施形態を、図面に基づいて説明する。
【００１７】
尚、本発明にかかる歯ブラシ１０は、以下に述べる実施例に限定されるものではなく、本発明の技術的思想の範囲内、すなわち同一の作用効果を発揮できる形状や寸法等の範囲内で、適宜変更することができる。
【実施例１】
【００１８】
図1乃至図５は、本発明にかかる歯ブラシ１０の第一の実施形態を示す説明図であり、図1は短辺方向トゥ側から見た図、図２は短辺方向ヒール側から見た図、図３は長辺方向から見た図、図４は平面図、図５は使用状態説明図である。
【００１９】
本実施形態にかかる歯ブラシ１０は、植毛台１１のヒールに把持部１２を備え且つ該植毛台１１に複数のブラシ体が植毛されてブラシ部２０を構成して成る歯ブラシ１０であって、ブラシ部２０のトゥ部ｔ先端に、少なくとも一以上の山形状の突片（トゥ突片）２２が成形されて成り、該突片（トゥ突片）２２の形状に特徴を有する。
【００２０】
すなわち、本実施形態における突片（トゥ突片）２２の形状的第一の特徴は、図１及び図２に示すように、短辺方向Ｍから見て頂点角θ１が鋭角を為し、且つ、両側端方向へ夫々直線的若しくは曲線的な下り傾斜の稜線２１を為して形成されて成る点である。
【００２１】
該突片（トゥ突片）２２は、ブラシ部２０のトゥ部ｔの先端に少なくとも一以上成形されている。尚、トゥ部ｔとは、図３で示す通り、植毛台１１並びにブラシ部２０の先端部領域を指し、それ以外の基端部領域はヒール部ｈを為す。このとき、トゥ部ｔとヒール部ｈとの長手方向Ｌにおける割合については、特に限定するものではなく、図面では概ね１対１とした場合について示しているが、好みの使い勝手や歯と歯周の状態などの違いに応じて、最適な割合とすることが可能である。
【００２２】
該突片（トゥ突片）２２の成形数に限定はなく、短辺Ｍの寸法によっても成形可能な数は変わるため、本発明の突片（トゥ突片）２２が発揮する作用効果に変わりの無い範囲内で適時決定すれば足りるが、好ましくは一から十の突片（トゥ突片）２２が成形される。少なくとも一の突片（トゥ突片）２２が存在しないと本発明の機能を果たさず、また、十一以上の突片（トゥ突片）２２を成形するとトゥ部ｔ先端の範囲内にあまりに多くの突片（トゥ突片）２２が存在することとなって、通常の歯ブラシ形状とさほど変化ないこととなるためである。このとき、複数の突片（トゥ突片）２２が成形される場合に、夫々の突片（トゥ突片）２２は短辺方向に一列に連続して成形される。
なお、図１（ａ）及び図２（ａ）は一の突片（トゥ突片）２２を成形した場合、図１（ｂ），（ｃ）及び図２（ｂ），（ｃ）は二の突片（トゥ突片）２２を成形した場合について示している。
【００２３】
該突片（トゥ突片）２２は山形状であって、頂点から両側端方向へ夫々直線的若しくは曲線的な下り傾斜の稜線２１を為して形成される。なお、図１（ａ）及び図２（ａ）は曲線的な稜線２１の場合、図１（ｂ）及び図２（ｂ）は直線的な稜線２１の場合について示している。このとき、傾斜の一方を直線的とし他方を曲線的とする態様も可能である。また、図１（ｃ）及び図２（ｃ）に示すように、下り傾斜の一方を略鉛直状とする態様も可能である。
【００２４】
頂点角θ１の角度については，９０度以下の鋭角であれば特に限定はないが、山形状の突片（トゥ突片）２２が歯周ポケット３３に効果的に入り込む形状とすべく、好ましくは１０〜６０度の許容角度内で成形される。なお、突片（トゥ突片）２２を複数成形した場合に、各突片（トゥ突片）２２の頂点角θ１について、全てを同角度とするか夫々異なる角度とするかは任意に決定可能である。
【００２５】
このように、ブラシ部２０のトゥ部ｔ先端に成形された山形状の突片（トゥ突片）２２が、短辺方向Ｍから見て頂点角θ１が鋭角を為し且つ両側端方向へ夫々直線的若しくは曲線的な下り傾斜の稜線２１を為して形成されることによって、図５（ａ）に示すように、ブラシ体の先端が必要以上に歯茎３１に当接することなく歯周ポケット３３に効果的に入り込み、当該歯周ポケット３３に付着した歯垢を確実且つ効率良く除去することができるため、歯茎３１を傷めることなく歯３０を磨くことが可能であると共に、稜線２１によって成形される傾斜面によって歯３０の表面を効果的に磨くことが可能となる。
【００２６】
本実施形態における突片（トゥ突片）２２の形状的第二の特徴は、図３に示すように、長辺方向Ｌから見て頂点角θ２が鋭角を為し、且つ、トゥ側辺が略鉛直状の稜線２３を為すと共にヒール側辺がヒール方向へ直線的若しくは曲線的な下り傾斜の稜線２３を為して形成されて成る点である。
【００２７】
該突片（トゥ突片）２２の成形位置は植毛台１１のトゥ部ｔの先端であって、それ以外のヒール部ｈ側は、長辺方向Ｌから見て略水平状となっている。
【００２８】
該突片（トゥ突片）２２は山形状であって、頂点からトゥ側辺は略鉛直状の稜線２３を為し、ヒール側辺はヒール方向へ直線的若しくは曲線的な下り傾斜の稜線２３を為して傾斜して成る。なお、図面では、ヒール側辺の稜線２３を曲線的とした場合について示している。
【００２９】
頂点角θ２の角度については，９０度以下の鋭角であれば特に限定はないが、山形状の突片（トゥ突片）２２が歯間３２や歯周ポケット３３に効果的に入り込むと共に奥歯３４の最奥にまで確実に届く形状とすべく、好ましくは１０〜６０度の許容角度内で成形される。
【００３０】
ところで、ブラシ部２０におけるヒール部ｈ側の形状については、短辺方向Ｍから見て緩やかな山形状を為す態様や、全体が均一な平面状を為す態様が考え得る。また、短辺方向Ｍから見たブラシ部２０の幅について、トゥ部ｔとヒール部ｈとを異なる幅とする態様が考えられ、例えば、トゥ部ｔよりもヒール部ｈを幅狭とする態様が可能である。さらには、ブラシ部２０のトゥ部ｔとヒール部ｈとを分割した状態で植毛台１１に配置する態様、即ちトゥ部ｔとヒール部ｈとの境界に所定幅の隙間を設ける態様も可能である。
【００３１】
このように、ブラシ部２０のトゥ部ｔ先端に成形された山形状の突片（トゥ突片）２２が、長辺方向Ｌから見て頂点角θ２が鋭角を為し且つトゥ側辺が略鉛直状の稜線２３を為すと共にヒール側辺がヒール方向へ直線的若しくは曲線的な下り傾斜の稜線２３を為して形成されることによって、長手方向Ｌへ往復スライドするように歯３０の表面を磨く際に、ブラシ体のトゥ側辺とヒール側辺との異なる傾斜角によって夫々最適な抵抗力による歯垢除去が可能になると共に、図５（ａ），（ｂ）に示すように、山形状の突片（トゥ突片）２２が並列する歯３０の歯間３２や歯周ポケット３３に効果的に入り込み、当該歯間３２や歯周ポケット３３に付着した歯垢を確実且つ効率良く除去することができ、さらには、図５（ｃ）に示すように、突片（トゥ突片）２２が奥歯３４の最奥にまで届いて磨き残し無く歯磨きすることが可能になる。また、二以上の突片（トゥ突片）２２が成形されている場合には、図５（ｄ）に示すように、歯３０に対して歯ブラシ１０を縦に当てがって磨くことで、突片（トゥ突片）２２が歯周ポケット３３に効果的に入り込んで、確実且つ効率良く磨くことも可能となる。
【００３２】
以上のように、本実施例にかかる歯ブラシ１０によれば、ブラシ部２０のトゥ部ｔ先端に成形された突片（トゥ突片）２２が、短辺方向Ｍ及び長辺方向Ｌの何れから見ても鋭角な頂点角θ１，θ２を有する山形状に形成されていることで、該突片（トゥ突片）２２における最上端箇所２６が点状を為して存在することとなり、該最上端箇所２６が歯間３２や歯周ポケット３３など狭い隙間に効果的に入り込んで、歯垢を確実且つ効率良く除去することが可能となる。
【００３３】
なお、突片（トゥ突片）２２における最上端と最下端との寸法差Ｔについては、特に限定するものではなく、上記頂点角θ１，θ２の角度及びブラシ部２０全体の幅，長さ，高さ等によって適宜決定されることとなるが、歯周ポケット３３や歯間３２に効果的に入り込む形状を考慮し、好ましくは２〜５ｍｍの許容寸法内で成形され、例えばブラシ部２０の高さの下方約１/３から略中央位置位より上方部分が突片（トゥ突片）２２となるように成形される。
【００３４】
上記の通り成形された本実施形態にかかる歯ブラシ１０において、図３に示すように、植毛台１１の所定中間位置よりトゥ側（トゥ部ｔ）を下方へ屈曲させる態様を採用する。かかる態様を採用しない場合には、突片（トゥ突片）２２がヒール部ｈよりも高く成形されているため、特に突片（トゥ突片）２２における最上端と最下端との寸法差Ｔが大きい場合などでは、歯磨きの際にヒール部ｈが上手く歯に当接しない場合も想定できるが、トゥ側（トゥ部ｔ）を下方へ屈曲させる態様を採ることで、突片（トゥ突片）２２の最上端箇所２６とヒール部ｈとの高さ位置に差がなくなり、ヒール部ｈが効果的に作用すると共に、屈曲した植毛台１１のトゥ部ｔ先端に配された突片（トゥ突片）２２が奥歯３４の最奥部を磨く際に有効に機能する。
【実施例２】
【００３５】
図６乃至図８は、本発明にかかる歯ブラシ１０の第二の実施形態を示す説明図であり、図６は長辺方向から見た要部拡大図、図７は平面拡大図、図８は使用状態説明図である。
【００３６】
本実施形態にかかる歯ブラシ１０は、植毛台１１のヒールに把持部１２を備え且つ該植毛台１１に複数のブラシ体が植毛されてブラシ部２０を構成して成る歯ブラシ１０であって、上記第一の実施形態と相違する点は、ブラシ部２０のヒール部ｈに、複数の山形状の突片（ヒール突片）２４が成形されている点であって、該突片（ヒール突片）２４の形状に特徴を有する。
【００３７】
該突片（ヒール突片）２４は、ブラシ部２０のヒール部ｈにおいて、長辺方向Ｌに一列に連続して成形される。なお、該突片（ヒール突片）２４の成形位置については、長辺方向Ｌに一列であれば特に限定するものではなく、例えば図７に示すように、短辺視略中央箇所を頂点として成形される。
【００３８】
該突片（ヒール突片）２４の成形数に限定はなく、長辺Ｌの寸法によっても成形可能な数は変わるため、本発明の突片（ヒール突片）２４が発揮する作用効果に変わりの無い範囲内で適時決定すれば足りるが、好ましくはヒール部ｈに二から二十の突片（ヒール突片）２４が成形される。少なくとも二の突片（ヒール突片）２４が存在しないと本発明の機能を果たさず、また、二十一以上の突片（ヒール突片）２４を成形するとヒール部ｈの長辺範囲内にあまりに多くの突片（ヒール突片）２４が存在することとなって、通常の歯ブラシ形状とさほど変化ないこととなるためである。なお、図面では五の突片（ヒール突片）２４を成形した場合について示している。
【００３９】
本実施形態における突片（ヒール突片）２４の個々の形状的特徴については、上記第一の実施形態で説明した突片（トゥ突片）２２における形状的特徴と同様であるため、説明は省略する。
また、本実施形態において、短辺方向Ｍから見たブラシ部２０の幅をトゥ部ｔとヒール部ｈ夫々異なる幅とする態様や、ブラシ部２０のトゥ部ｔとヒール部ｈとを分割した状態で植毛台１１に配置する態様についても、上記第一の実施形態と同様であるため、説明は省略する。
【００４０】
なお、該突片（ヒール突片）２４の全体的な形状的特徴については、短辺方向Ｍから見た両側端方向への傾斜や、長辺方向Ｌから見たヒール側辺の傾斜について、全ての突片（ヒール突片）２４につき直線的若しくは曲線的に統一する態様のほか、各突片（ヒール突片）２４ごと直線的と曲線的とを交互に配するなど混合する態様も可能であり、さらには、各突片（ヒール突片）２４の頂点角θ１，θ２について、全てを同角度とするか夫々異なる角度とするかは任意に決定可能である。
【００４１】
ところで、各突片（ヒール突片）２４の最上端位置については、全て同じに成形する態様のほか、各突片（ヒール突片）２４ごとに異なった最上端位置となるよう成形する態様が考え得る。但し、図６に示すように、突片（トゥ突片）２２の最上端位置は、突片（ヒール突片）２４より高く成形する。かかる態様を採用する際、突片（トゥ突片）２２の最上端位置と突片（ヒール突片）２４の最上端位置との寸法差Ｔ１については任意であり、例えば歯周ポケット３３の深さに比例して当該寸法差Ｔ１を大きくした方が歯ブラシ１０としての効果を発揮するが、概ね好ましくは２〜４ｍｍの寸法差Ｔ１の範囲内で適宜決定される。
また、突片（トゥ突片）２２と突片（ヒール突片）２４の最下端位置について、図面では同じ位置とする態様のみ示したが、夫々異なる最下端位置とする態様も可能であり、例えば、突片（ヒール突片）２４の最下端位置を突片（トゥ突片）２２の最下端位置よりも低い位置とする態様が考え得る。
【００４２】
このように、ブラシ部２０のトゥ部ｔ先端に成形された山形状の突片（トゥ突片）２２並びにヒール部ｈに成形された山形状の突片（ヒール突片）２４が、長辺方向Ｌから見て頂点角θ２が鋭角を為し且つトゥ側辺が略鉛直状の稜線２３を為すと共にヒール側辺がヒール方向へ直線的若しくは曲線的な下り傾斜の稜線２３を為して形成されることによって、長手方向Ｌへ往復スライドするように歯３０の表面を磨く際に、ブラシ体のトゥ側辺とヒール側辺との異なる傾斜角によって夫々最適な抵抗力による歯垢除去が可能になると共に、図８（ａ），（ｂ）に示すように、山形状の突片（トゥ突片）２２及び突片（ヒール突片）２４が並列する歯３０の歯間３２や歯周ポケット３３に効果的に入り込み、当該歯間３２や歯周ポケット３３に付着した歯垢を確実且つ効率良く除去することができ、さらに突片（トゥ突片）２２の最上端位置を突片（ヒール突片）２４より高く成形する態様を採用することで、図８（ｃ）に示すように、突片（トゥ突片）２２が奥歯３４の最奥にまで届いて磨き残し無く歯磨きすることが可能になる。また、二以上の突片（トゥ突片）２２が成形されている場合には、上記第一の実施形態と同様、図５（ｄ）に示すように、歯３０に対して歯ブラシ１０を縦に当てがって磨くことで、突片（トゥ突片）２２が歯周ポケット３３に効果的に入り込んで、確実且つ効率良く磨くことも可能となる。
【００４３】
以上のように、本実施例にかかる歯ブラシ１０によれば、ブラシ部２０のトゥ部ｔ先端に成形された突片（トゥ突片）２２並びにヒール部ｈに成形された山形状の突片（ヒール突片）２４が、短辺方向Ｍ及び長辺方向Ｌの何れから見ても鋭角な頂点角θ１，θ２を有する山形状に形成されていることで、該突片（トゥ突片／ヒール突片）２２，２４における最上端箇所２６が点状を為して存在することとなり、該最上端箇所２６が歯間３２や歯周ポケット３３など狭い隙間に効果的に入り込んで、歯垢を確実且つ効率良く除去することが可能となる。
【００４４】
なお、突片（トゥ突片／ヒール突片）２２，２４における最上端と最下端との寸法差Ｔについては、上記第一の実施形態と同様、特に限定するものではなく、上記頂点角θ１，θ２の角度及びブラシ部２０全体の幅，長さ，高さ等によって適宜決定されることとなるが、歯周ポケット３３や歯間３２に効果的に入り込む形状を考慮し、好ましくは２〜５ｍｍの許容寸法内で成形され、例えばブラシ部２０の高さの下方約１/３から略中央位置位より上方部分が突片（トゥ突片／ヒール突片）２２，２４となるように成形される。
【００４５】
上記の通り成形された本実施形態にかかる歯ブラシ１０において、図６に示すように、植毛台１１の所定中間位置よりトゥ側（トゥ部ｔ）を下方へ屈曲させる態様を採用する。かかる態様を採用しない場合には、突片（トゥ突片）２２が突片（ヒール突片）２４よりも高く成形されて夫々の最上端位置の寸法差Ｔ１が大きい場合に、歯磨きに際し該突片（ヒール突片）２４が上手く歯に当接しない場合も想定できるが、トゥ側（トゥ部ｔ）を下方へ屈曲させる態様を採ることで、突片（トゥ突片）２２の最上端箇所２６と突片（ヒール突片）２４の最上端箇所２６との高さ位置に差がなくなり、該突片（ヒール突片）２４が効果的に作用すると共に、屈曲した植毛台１１のトゥ部ｔ先端に配された突片（トゥ突片）２２が奥歯３４の最奥部を磨く際に有効に機能する。
【産業上の利用可能性】
【００４６】
本発明にかかる歯ブラシ１０は、従来から使用されている歯ブラシと比較して、ブラシ部２０のトゥ部ｔ先端やヒール部ｈに山形状の突片（トゥ突片／ヒール突片）２２，２４が成形されて成ることで、該突片（トゥ突片／ヒール突片）２２，２４における最上端箇所２６が点状を為して存在することとなって、該最上端箇所２６が歯間３２や歯周ポケット３３など狭い隙間に効果的に入り込んで、並列する歯３０の歯間３２や歯周ポケット３３、奥歯３４に付着した歯垢を確実且つ効率良く除去することができることから、本発明の産業上の利用可能性は極めて大であるものと思料する。
【符号の説明】
【００４７】
１０    歯ブラシ
１１    植毛台
１２    把持部
２０    ブラシ部
２１    稜線
２２    突片（トゥ突片）
２３    稜線
２４    突片（ヒール突片）
２６    最上端箇所
３０    歯
３１    歯茎
３２    歯間
３３    歯周ポケット
３４    奥歯
Ｍ    短辺方向
Ｌ    長辺方向
Ｔ    寸法差
ｈ    ヒール部
ｔ    トゥ部
θ１  頂点角
θ２  頂点角
【図１】
0006608610.tif 000002
【図２】
0006608610.tif 000003
【図３】
0006608610.tif 000004
【図４】
0006608610.tif 000005
【図５】
0006608610.tif 000006
【図６】
0006608610.tif 000007
【図７】
0006608610.tif 000008
【図８】
0006608610.tif 000009